(57)【要約】【課題】原稿セットを容易に行うことができ、原稿押さえ機能も有する画像読み取り装置を提供する。【解決手段】シートスルー読み取り用コンタクトガラス２とブック原稿用コンタクトガラス３の間に原稿スケール４を有する画像読み取り装置において、原稿スケール４は、固定部４−１と、固定部４−１に接離可能な原稿すくい上げ部４−２とから構成されている。【選択図】        図２
2004331271.tif 000002
【特許請求の範囲】
【請求項１】
シートスルー読み取り用コンタクトガラスとブック原稿用コンタクトガラスの間に原稿スケールを有する画像読み取り装置において、原稿スケールは、固定部と、固定部に接離可能な原稿すくい上げ部とから構成されていることを特徴とする画像読み取り装置。
【請求項２】
請求項１記載の画像読み取り装置において、原稿すくい上げ部は固定部に対して磁力によって吸着されていることを特徴とする画像読み取り装置。
【請求項３】
請求項１記載の画像読み取り装置において、固定部と原稿すくい上げ部は互いの一端が回動軸により軸支されていることを特徴とする画像読み取り装置。
【発明の詳細な説明】
【０００１】
【発明の属する技術分野】
本発明は、シートスルー読み取り用コンタクトガラスとブック原稿用コンタクトガラスの間に原稿スケールを有する画像読み取り装置に関する。
【０００２】
【従来の技術】
例えば、特許文献１〜３等に示されている通り、ＡＤＦと連結された画像読み取り装置において、原稿すくい上げガイド形状部とブック原稿突き当て形状部を有するものは種々提案されている。
【特許文献１】特開平０８−２９２６１３号公報
【特許文献２】特開２００１−１９４８３５公報
【特許文献３】特開平０６−２２５０７９号公報
【０００３】
【発明が解決しようとする課題】
特開平０８−２９２６１３号公報記載の技術の場合、ＡＤＦ側のガイド板を回動可能として、原稿セット性を向上させているが、スケール側のすくい上げ部分はそのままで、例えばＡＤＦを開閉したままでの原稿セット時には効果がない。
特開２００１−１９４８３５公報記載の技術の場合、ガイド板をスケール長手方向に沿った回転中心に対して回動可能としており、原稿セット性向上に効果がある可能性はあるが（ただしそのことには触れていない）、原稿押さえの機能は持っていない。
特開平０６−２２５０７９号公報記載の技術の場合、２種類のＡＤＦに対して、原稿スケールを取り替えるもので、シートスルータイプのＡＤＦ付での原稿セット性を向上させる効果はない。
本発明は、原稿セットを容易に行うことができ、原稿押さえ機能も有する画像読み取り装置を提供することを目的とする。
【０００４】
【課題を解決するための手段】
上記目的を達成するために、請求項１記載の発明は、シートスルー読み取り用コンタクトガラスとブック原稿用コンタクトガラスの間に原稿スケールを有する画像読み取り装置において、原稿スケールは、固定部と、固定部に接離可能な原稿すくい上げ部とから構成されている画像読み取り装置を最も主要な特徴とする。
請求項２記載の発明は、請求項１記載の画像読み取り装置において、原稿すくい上げ部は固定部に対して磁力によって吸着されている画像読み取り装置を主要な特徴とする。
請求項３記載の発明は、請求項１記載の画像読み取り装置において、固定部と原稿すくい上げ部は互いの一端が回動軸により軸支されている画像読み取り装置を主要な特徴とする。
【０００５】
【発明の実施の形態】
以下、本発明の実施の形態を図面に従って説明する。
図１は画像読み取り装置の全体構成図である。本発明の画像読み取り装置は、図２以下に示すように原稿スケールに特徴があり、図１に示す画像読み取り装置自体公知のものであるため、必要部分のみ簡単に説明する。
装置本体１の上面には、第１のコンタクトガラス（シートスルー読み取り用コンタクトガラス）２と、第２のコンタクトガラス（ブック原稿用コンタクトガラス）３が隣接配置されており、両コンタクトガラス２、３の間に原稿スケール４がある。装置本体１上に配置されたＡＤＦ５により原稿を一枚づつ搬送し、第１のコンタクトガラス２の上を通過する間に画像を読み取る。画像の読み取りは、装置本体１側の読み取り手段により行う。原稿上の画像は、装置本体１側に設けた読み取り手段を構成するミラー６、７、８、レンズ９を通って、ＣＣＤ１０に結像する。ＣＣＤ１０によって取り込まれた画像データは、画像処理を施された後、図示しないプリンタ部（画像形成部）へ送られ出力される。
【０００６】
図２は本発明の画像読み取り装置における原稿スケールの第１の実施の形態を示す斜視図である。本実施形態の原稿スケール４は、装置本体１の上面に固定される固定部４−１と、固定部に対して取り外し可能なすくい上げ部４−２に分かれる。本実施形態では、すくい上げ部４−２は、固定部４−１に対してビス１１等の締結手段で固定されている。
すくい上げ部４−２は、ＡＤＦ５の原稿台６から給送されてきて、第１のコンタクトガラス２の上を通過した後の原稿Ｄを第１のコンタクトガラス２からすくい上げて、ＡＤＦ５の排紙トレイ７へと導く働きをする。ＡＤＦ５は、シートスルー読み取り用の原稿搬送部５Ａと、ブック原稿を押さえる圧板部５Ｂと、を備えている。
通常は、ＡＤＦ５で原稿を移動させながら読み取るが、ＡＤＦ５を通せない原稿（例えば、本等）は、第２のコンタクトガラス３の上にセットし、ＡＤＦ５の圧板部分５Ｂで押さえて読み取る。
大きいサイズの図面の一部だけをコピーする場合も、同じ方法で行うが、原稿の一部が、原稿スケール４の上に重なってしまう。このとき、原稿スケール４のすくい上げ部４−２がじゃまになり、原稿セット性が悪くなる。本実施形態では、このような場合、すくい上げ部４−２を取り外し、原稿スケール４上面をフラットな状態にして原稿をセットしやすくできる。
【０００７】
図３は本発明の画像読み取り装置における原稿スケールの第２の実施の形態を示す斜視図である。本実施形態では、原稿スケール４の固定部４−１に、通常マグネットキャッチと呼ばれる磁力発生手段１２等を備えている。
第２のコンタクトガラス３からはみ出るような大きいサイズの原稿セット時には、原稿スケール４のすくい上げ部４−２を一旦取り外し、原稿をセットした後、原稿スケール４のすくい上げ部４−２を元の位置にセットすると、原稿を挟んだ状態で、固定部４−１に吸着するため、原稿を固定できる。
このように、原稿スケール４のすくい上げ部４−２で原稿を固定した後に、ＡＤＦ５の圧板部を閉じて押さえると、ＡＤＦ５を閉じる間に原稿がずれてしまうこともなく、最初のセット位置に正確に固定できる。
【０００８】
図４は本発明の画像読み取り装置における原稿スケールの第３の実施の形態を示す斜視図である。本実施形態では、原稿スケール４の固定部４−１と原稿スケール４のすくい上げ部４−２が、図の奥側で回動軸１３により回動可能な状態で連結されており、これによりすくい上げ部４−２の手前側を持って開閉することができる。
第２のコンタクトガラス３からはみ出るような大きいサイズの原稿セット時には、原稿スケール４のすくい上げ部４−２の手前側を持ち上げて、原稿をセットした後、原稿スケール４のすくい上げ部４−２を閉じる。こうすることにより、原稿スケール４のすくい上げ部４−２によって原稿を固定した後に、ＡＤＦ５の圧板部を閉じて押さえると、ＡＤＦ５を閉じる間に原稿がずれてしまうこともなく、最初のセット位置に正確に固定できる。
本実施形態では、原稿スケール４のすくい上げ部４−２は、原稿スケール４の固定部４−１に連結されているが、本体カバー等に連結されていてもよい。回動軸１３の位置は、ＡＤＦ５の支点と同じ位置でもよい。また、原稿スケール４のすくい上げ部４−２は、原稿スケール４の固定部４−１に対してビス等の手段によって固定するようになっているが、磁力による固定であってもよい。
【０００９】
【発明の効果】
請求項１記載の発明によれば、原稿スケールのすくい上げ部を取り外すことができるため、コンタクトガラスからはみ出すようなサイズの原稿をセットするときに、すくい上げ部がじゃまにならず、原稿のセット性が向上する。
請求項２、３記載の発明によれば、原稿スケールのすくい上げ部によって、原稿の位置を固定できるため、ＡＤＦの圧板を閉じるときに原稿がずれてしまうのを防止できる。
【図面の簡単な説明】
【図１】画像読み取り装置の全体構成図である。
【図２】本発明の画像読み取り装置における原稿スケールの第１の実施の形態を示す斜視図である。
【図３】本発明の画像読み取り装置における原稿スケールの第２の実施の形態を示す斜視図である。
【図４】本発明の画像読み取り装置における原稿スケールの第３の実施の形態を示す斜視図である。
【符号の説明】
１  装置本体、２  第１のコンタクトガラス（シートスルー読み取り用コンタクトガラス）、３  第２のコンタクトガラス（ブック原稿用コンタクトガラス）、４  原稿スケール、４−１  固定部、４−２  すくい上げ部（原稿すくい上げ部）、１１  ビス
【図１】
2004331271.tif 000003
【図２】
2004331271.tif 000004
【図３】
2004331271.tif 000005
【図４】
2004331271.tif 000006